(57)【要約】【課題】容易に落下物を取出すことができるようにする。【解決手段】収納ケース本体５と、収納ケース本体５を開閉可能なリッド６とを備え、  収納ケース本体５が、小物を収納可能な収納部７と、開状態のリッド６を収容可能なリッド収容空間８とを有する開閉リッド付収納ケースであって、リッド収容空間８へ落下した落下物を収納部７の内部へと案内するガイド２１，２２を設けるようにしている。そして、リッド収容空間８へ落下した落下物をガイド２１，２２が収納部７の内部へと案内することにより、リッド収容空間８を探ったりリッド６を取外したりすることなく、収納部７から簡単に落下物を取出すことができるようにしている。【選択図】        図１
2004155376.tif 000002
【特許請求の範囲】
【請求項１】
収納ケース本体と、該収納ケース本体を開閉可能なリッドとを備え、
前記収納ケース本体が、小物を収納可能な収納部と、開状態の前記リッドを収容可能なリッド収容空間とを有する開閉リッド付収納ケースにおいて、
前記リッド収容空間へ落下した落下物を前記収納部の内部へと案内するガイドを設けたことを特徴とする開閉リッド付収納ケース。
【請求項２】
前記収納ケース本体が収納部とリッド収容空間との境界壁の部分に落下物を通す落下物通過部を有し、
前記ガイドが、リッド収容空間の背面板に一体的に形成されたことを特徴とする請求項１記載の開閉リッド付収納ケース。
【請求項３】
前記収納部が前記収納ケース本体の幅方向に偏在すると共に、
前記ガイドが、収納部が存する幅方向位置に向かって幅方向へ湾曲した湾曲部を有していることを特徴とする請求項１または２記載の開閉リッド付収納ケース。
【請求項４】
前記ガイドの湾曲部が、前記収納部の略収納方向へ向けて立設されていることを特徴とする請求項１ないし３のいずれか１項に記載の開閉リッド付収納ケース。
【発明の詳細な説明】
【０００１】
【発明の属する技術分野】
この発明は、開閉リッド付収納ケースに関するものである。
【０００２】
【従来の技術】
自動車などの車両には、車室内に灰皿などの収納ケースが各種設けられている。このような収納ケースには、開閉リッドを備えたものがある。（例えば、特許文献１参照。）
この文献に記載された開閉リッド付収納ケースでは、リッドを収容するためのリッド収容空間に、落下物を溜める落下物溜め部を設けるようにしている。
【特許文献１】
特開２０００−１０８７９９号公報
【０００３】
【発明が解決しようとする課題】
しかしながら、上記文献に記載された開閉リッド付収納ケースでは、落下物溜め部に入った落下物を取出すのに、指などを狭い隙間に挿入する必要があり、落下物を取出すのに手間がかかるという問題があった。
【０００４】
そこで、本発明の目的は、上記の問題点を解消し、容易に落下物を取出すことのできる開閉リッド付収納ケースを提供することにある。
【０００５】
【課題を解決するための手段】
上記課題を解決するために、請求項１に記載された発明は、収納ケース本体と、該収納ケース本体を開閉可能なリッドとを備え、前記収納ケース本体が、小物を収納可能な収納部と、開状態の前記リッドを収容可能なリッド収容空間とを有する開閉リッド付収納ケースにおいて、前記リッド収容空間へ落下した落下物を前記収納部の内部へと案内するガイドを設けたことを特徴とする開閉リッド付収納ケースにかかるものである。
【０００６】
このように構成された請求項１にかかる発明によれば、前記リッド収容空間へ落下した落下物をガイドが収納部の内部へと案内することにより、リッド収容空間を探ったりリッドを取外したりすることなく、収納部から簡単に落下物を取出すことができる。
【０００７】
請求項２に記載された発明は、前記収納ケース本体が収納部とリッド収容空間との境界壁の部分に落下物を通す落下物通過部を有し、前記ガイドが、リッド収容空間の背面板に一体的に形成されたことを特徴とする請求項１記載の開閉リッド付収納ケースにかかるものである。
【０００８】
このように構成された請求項２にかかる発明によれば、落下物は、リッド収容空間の背面板に一体的に形成されたガイドに案内されて、収納ケース本体の境界壁に形成された落下物通過部から収納部へ導かれる。これにより、確実に落下物を収納部へ送出することができる。
【０００９】
請求項３に記載された発明は、前記収納部が前記収納ケース本体の幅方向に偏在すると共に、前記ガイドが、収納部が存する幅方向位置に向かって幅方向へ湾曲した湾曲部を有していることを特徴とする請求項１または２記載の開閉リッド付収納ケースにかかるものである。
【００１０】
このように構成された請求項３にかかる発明によれば、前記収納ケース本体の幅方向に収納部が偏在している場合であっても、ガイドの湾曲部が、確実に落下物を収納部へ送出することができる。
【００１１】
請求項４に記載された発明は、前記ガイドの湾曲部が、前記収納部の略収納方向へ向けて立設されていることを特徴とする請求項１ないし３のいずれか１項に記載の開閉リッド付収納ケースにかかるものである。
【００１２】
このように構成された請求項４にかかる発明によれば、前記収納部の略収納方向へ向けて立設されたガイドの湾曲部により、落下物がガイドから外れるのを防止することができる。また、ガイドの湾曲部を収納部の略収納方向へ向けて立設することにより、成形時の型抜きを容易化することができる。
【００１３】
【発明の実施の形態】
以下、本発明を具体化した実施の形態について、図示例と共に説明する。
図１〜図８は、この発明の実施の形態を示すものである。
【００１４】
まず、構成を説明すると、自動車などの車両には、車室内に図１に示すようなセンターコンソール１を備えているものがある。このセンターコンソール１は、シフトレバー設置部２を備えている。そして、例えば、シフトレバー設置部２の車両前後方向３の前側の位置に、この実施の形態にかかる収納ケース４が設けられている。この収納ケース４は、図２〜図４に示すように、収納ケース本体５と、収納ケース本体５を開閉可能なリッド６（蓋体）とを備えている。
【００１５】
そして、収納ケース本体５は、図５に示すように、小物を収納可能な収納部７と、開状態のリッド６を収容可能なリッド収容空間８とを有している。リッド収容空間８は収納部７の車両前後方向３前側に設けられている。収納部７とリッド収容空間８とは境界壁９で仕切られている。また、リッド収容空間８は背面板１０によって画成されている。背面板１０は、リッド６の前縁の回動軌跡に略沿った形状を呈している。
【００１６】
そして、図１、図４に示すように、収納部７にはトレー１１が着脱可能に取付けられるようになっている。また、収納部７には、挿着されたトレー１１を摘んで取外すことが容易にできるように、幅方向１２の両側部に凹部１３，１４が形成されている。このトレー１１は、例えば、灰皿などとする。
【００１７】
また、図１〜図４に示すように、収納ケース４は、リッド収容空間８の上部に、リッド収容空間８を外部から覆い隠すためのフイニッシャー１５（遮蔽部材）を備えている。このフイニッシャー１５は、収納ケース本体５の背面板１０の上縁部に設けられたフイニッシャー取付部１６に取付けられる。このフイニッシャー取付部１６は、背面板１０の上縁部を折曲げて形成されている。
【００１８】
更に、図２〜図４に示すように、リッド６の両側部からは、裏面側へ向けて略垂直に支持部１７が突設形成されている。この支持部１７に回動中心軸孔１８が設定されている。一方、図５に示すように、収納ケース本体５の両側部に回動中心軸支持部１９が設けられている。これら回動中心軸孔１８と回動中心軸支持部１９とを位置合せして回動中心軸を取付けることにより、リッド６が収納ケース本体５に回動可能に支持されている。
【００１９】
そして、この実施の形態のものでは、図５に示すように、リッド６とフイニッシャー１５との隙間からリッド収容空間８へ落下した落下物を収納部７の内部へと案内するガイド２１，２２を設ける。
【００２０】
そのために、収納ケース本体５は収納部７とリッド収容空間８との境界壁９の部分に落下物を通す落下物通過部２３を有している。この落下物通過部２３は、境界壁９を上から下まで切欠いて形成されている。
また、ガイド２１，２２は、リッド収容空間８の背面板１０に一体的に形成されている。
【００２１】
更に、収納部７が収納ケース本体５の幅方向１２に偏在している。例えば、図５、図６に示すように、収納部７は、幅方向１２右側に偏在している。ここで、収納ケース本体５の幅方向１２左側部分には、シガーライター取付孔２４が形成される。この場合に、ガイド２１，２２は、収納部７（或いは落下物通過部２３）が存する幅方向１２位置に向かって幅方向１２へ湾曲した湾曲部２５，２６を有している。
そして、このガイド２１，２２の湾曲部２５，２６は、図８に示すように、収納部７の略収納方向２７へ向けて立設されている。
【００２２】
なお、リッド６とフイニッシャー１５とには、図２〜図４に示すように、カードなどのシート状物が入り込むのを防止するための物落防止用リブ３１，３２が交互に形成されている。
【００２３】
次に、この実施の形態の作用について説明する。
この実施の形態によれば、リッド６とフイニッシャー１５との隙間からリッド収容空間８へ落下したコインなどの落下物は、ガイド２１，２２が収納部７の内部（トレー１１の下方）へと案内する。これにより、リッド収容空間８を指などで探ったりリッド６を取外したりすることなく、トレー１１を持上げるだけで収納部７から簡単に落下物を取出すことができる。
【００２４】
即ち、落下物は、リッド収容空間８の背面板１０に一体的に形成されたガイド２１，２２に案内されて、収納ケース本体５の境界壁９に形成された落下物通過部２３から収納部７へ導かれる。これにより、確実に落下物を収納部７へ送出することができる。
【００２５】
また、収納ケース本体５の幅方向１２に収納部７が偏在している場合であっても、ガイド２１，２２の湾曲部２５，２６が、確実に落下物を収納部７へ送出することができる。
【００２６】
そして、収納部７の略収納方向２７へ向けて立設されたガイド２１，２２の湾曲部２５，２６により、落下物がガイド２１，２２から外れるのを防止することができる。また、ガイド２１，２２の湾曲部２５，２６を収納部７の略収納方向２７へ向けて立設することにより、成形時の型抜きを容易化することができる。
【００２７】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００２８】
【発明の効果】
以上説明してきたように、請求項１の発明によれば、リッド収容空間へ落下した落下物をガイドが収納部の内部へと案内することにより、リッド収容空間を探ったりリッドを取外したりすることなく、収納部から簡単に落下物を取出すことができる。
【００２９】
請求項２の発明によれば、落下物は、リッド収容空間の背面板に一体的に形成されたガイドに案内されて、収納ケース本体の境界壁に形成された落下物通過部から収納部へ導かれる。これにより、確実に落下物を収納部へ送出することができる。
【００３０】
請求項３の発明によれば、収納ケース本体の幅方向に収納部が偏在している場合であっても、ガイドの湾曲部が、確実に落下物を収納部へ送出することができる。
【００３１】
請求項４の発明によれば、収納部の略収納方向へ向けて立設されたガイドの湾曲部により、落下物がガイドから外れるのを防止することができる。また、ガイドの湾曲部を収納部の略収納方向へ向けて立設することにより、成形時の型抜きを容易化することができる、という実用上有益な効果を発揮し得る。
【図面の簡単な説明】
【図１】本発明の実施の形態の全体斜視図である。
【図２】図１の収納ケースのリッド閉状態の斜視図である。
【図３】図２の収納ケースのリッド微開状態の斜視図である。
【図４】図２の収納ケースのリッド開状態の斜視図である。
【図５】図２の収納ケース本体の斜視図である。
【図６】落下物通過部とガイドとの位置関係を示す収納ケース本体の概略正面図である。
【図７】図６のＡ−Ａ線に沿った断面図である。
【図８】図６のＢ−Ｂ線に沿った断面図である。
【符号の説明】
５    収納ケース本体
６    リッド
７    収納部
８    リッド収容空間
９    境界壁
１０  背面板
１２  幅方向
２１  ガイド
２２  ガイド
２３  落下物通過部
２５  湾曲部
２６  湾曲部
２７  収納方向
【図１】
2004155376.tif 000003
【図２】
2004155376.tif 000004
【図３】
2004155376.tif 000005
【図４】
2004155376.tif 000006
【図５】
2004155376.tif 000007
【図６】
2004155376.tif 000008
【図７】
2004155376.tif 000009
【図８】
2004155376.tif 000010